(57)【要約】      （修正有）【課題】キャップを下にして載置する場合にも安定的に載置することができる化粧品容器を提供する。【解決手段】容器本体１は概して縦長であり、端部には内容物の取出口１１を有すると共に該取出口１１を被うキャップ２を備えている化粧品容器において、前記キャップ２は頂面が平坦であって、該頂面の外径寸法は前記容器本体１の胴部外径寸法よりも大であり、容器本体１及びキャップ２を天地反転して載置した際に安定的に起立保持できる形態とする。【選択図】図５
0003138962.tif 000002
【実用新案登録請求の範囲】
【請求項１】
容器本体は概して縦長であり、端部には内容物の取出口を有すると共に該取出口を被うキャップを備えている化粧品容器において、前記キャップは頂面が平坦であって該頂面の外径寸法は前記容器本体の胴部外径寸法よりも大であり、容器本体及びキャップを天地反転して載置した際に安定的に起立保持できる形態になっていることを特徴とする化粧品容器。
【請求項２】
容器本体の断面形状が円形であり、キャップの外形形状が角形をなしていることを特徴とする請求項１に記載の化粧品容器。
【請求項３】
容器本体の取出口がポンプタイプのノズルであることを特徴とする請求項１又は２に記載の化粧品容器。
【請求項４】
容器本体に対してキャップが嵌着形式で着脱されることを特徴とする請求項１，２又は３のいずれかに記載の化粧品容器。
【請求項５】
キャップが外形を形成する角形外壁と容器本体の円形の首部及び取出口が陥入する円形内壁との二重壁で形成されていることを特徴とする請求項２に記載の化粧品容器。
【考案の詳細な説明】
【技術分野】
【０００１】
本考案は化粧品容器に係り、乳液タイプ、スプレータイプ、ムースタイプ等の化粧品の容器として最適な化粧品容器に関するものである。
【背景技術】
【０００２】
従来より化粧品容器としては種々のものがあり、特に容器本体とキャップの形態は内容化粧料等によって様々な形式のものが提案され使用されている。
【０００３】
例えば、化粧料が乳液タイプのもののように、内容物が容器の吐出口で固化したり目詰まりするのを防止するために、吐出口に螺合されたキャップを下にして突き立てて載置しておくように、載置台の上面に円錐状の穴を設けたものや、密閉蓋を瓶のスタンド用ベースとなるようにして、瓶の中身が密度の異なった２種の液体等である場合に瓶を逆さまにしてこれを貯蔵しておくようにしたもの等が提案されている。
【特許文献１】実開昭５６-１４８３０６号公報
【特許文献２】特公平７-１０６９３号公報
【考案の開示】
【考案が解決しようとする課題】
【０００４】
しかしながら、特許文献１に記載のものは、容器を単に天地逆にして載置台に突き立てておく、というだけのものであり、キャップ自体を容器本体の載置部とするものではないから、容器形状が異なる場合にこれに対応できない。また、特許文献２に記載のものは、瓶の形状が口を上にして立てることができないような瓶に、上層の液体が揮発し易いか又は漏れ易いものであるような、異なった密度の二種の液体を満たすようにした液体の貯蔵方法であり、基本的には下層の液体で上層の液体を封止するものであるから、瓶の口と反対側の瓶の端は、瓶の口を上にして瓶を立てることができないように、外向きに湾曲して形成する必要があり、容器の形状が規制されてしまう。
【０００５】
本考案は、キャップを下にして載置する場合にも安定的に載置することができる化粧品容器を提供することを目的とする。
【課題を解決するための手段】
【０００６】
本考案は、上記課題を解決するために、容器本体は概して縦長であり、端部には内容物の取出口を有すると共に該取出口を被うキャップを備えている化粧品容器において、前記キャップは頂面が平坦であって、該頂面の外径寸法は前記容器本体の胴部外径寸法よりも大であり、容器本体及びキャップを天地反転して載置した際に安定的に起立保持できる形態としてある。
【０００７】
この場合、容器本体の断面形状を円形にする共にキャップの外形形状を角形にして安定性を確保することができる。キャップの外形形状を角形に形成するに際し、キャップを外形を形成する角形外壁と容器本体の円形の首部及び取出口が陥入する円形内壁との二重壁で形成することにより、キャップの軽量化を図ることができる。
【０００８】
また、容器本体の取出口はポンプタイプのノズルであって、容器本体に対してキャップを嵌着形式で着脱させる形態のものでもよい。
【考案の効果】
【０００９】
本考案の化粧品容器は、容器本体は概して縦長であり、端部には内容物の取出口を有すると共に該取出口を被うキャップを備えている化粧品容器において、前記キャップは頂面が平坦であって、該頂面の外径寸法は前記容器本体の胴部外径寸法よりも大であるから、容器本体及びキャップを天地反転して載置した際に安定的に起立保持でき、また、キャップを下にして載置しておくことにより、例えば、内容化粧料が取出口で固化しやすい乳液タイプのものであっても、取出口は常時浸潤した状態を保ち、取出口での固化を防止することができる。
【００１０】
この場合、容器本体の断面形状を円形にする共にキャップの断面形状を角形にしてより安定性を確保することができ、また、容器本体の取出口はキャップで封止する形式のものだけでなく、ポンプタイプのノズルでもよく、容器本体に対してキャップを嵌着形式で着脱させる形態のものでもよい。
【考案を実施するための最良の形態】
【００１１】
容器本体を縦長筒状とし、内容化粧料の残量を視認できるように半透明とするのが望ましい。キャップはプラスチックで成形され、該キャップを上にした状態における頂面を平坦面とし、また、外形を角形として、天地反転して載置しても安定性が得られるようにする。この場合、キャップを角形の外壁と容器本体の円形をなす首部及び取出口が陥入する円形の内壁との二重壁で構成して、いわば肉抜きすることにより、軽量化とプラスチック材料の低減化を図ることができる。容器本体又は（及び）キャップの側面に表示する商品名、商標、内容表示文字等の表示は、キャップを下にした状態で正常表示となるような表示形態とする。これにより、不使用時にもキャップを下にして載置する形式であることを明示するようにする。
【実施例】
【００１２】
図面は本考案に係る化粧品容器の実施例を示し、図１は斜視図、図２は正面図、図３は平面図、図４は底面図、図５は縦断面図である。
【００１３】
本考案の化粧品容器は、実施例ではエアレスタイプのリキッドファンデーション用の容器として実施され、容器本体１とキャップ２とからなり、容器本体１は縦長円筒状の密閉容器であり、下部に取出口１１が設けられている。具体的には円筒状容器の下部に円筒状の首部１２が螺合され、該首部１２に取出口１１としてのポンプタイプのノズル１３が設けられている。キャップ２は外形が角筒形をなし、キャップ２を上にした場合における頂面２２（図示例では底面）となる面が平坦に形成されている。
【００１４】
前記キャップ２は前記頂面２２の外径寸法２Ｌが前記容器本体１の胴部外径寸法１Ｌよりも大となるようにし、容器本体１及びキャップ２を天地反転して載置した際に安定的に起立保持できる形態としてある。
【００１５】
外形が角形をなすキャップ２の内部に容器本体１の前記首部１２及びノズル１３が陥入する円筒状空間部２３が形成される。この場合、単に角柱内に前記円筒上空幹部をくり抜き式に形成してもよいが、実施例では、キャップ２を角形の外壁２ａと前記円筒上空幹部２３を形成する円形の内壁２ｂとで二重壁構造として、軽量化とプラスチック材料の低減化を図っている。
【００１６】
前記容器本体１の外表面又は（及び）キャップ２の外表面に商品名や商標、内容表示等の表示１４を表示する場合には、前記キャップ２を下にした状態で正常表示となるような表示形態とするのが望ましく、これによって、不使用時にもキャップ２を下にして載置する形式の化粧品容器であることを明示することができる。
【産業上の利用可能性】
【００１７】
本考案の化粧品容器は取出口がどのような形態のものでも適用することができる。
【図面の簡単な説明】
【００１８】
【図１】化粧品容器の斜視図である。
【図２】化粧品容器の正面図である。
【図３】化粧品容器の平面図である。
【図４】化粧品容器の底面図である。
【図５】化粧品容器の縦断面図である。
【符号の説明】
【００１９】
１      容器本体
１１    取出口
１２    首部
１３    ノズル５
１４    表示
１Ｌ    胴部外径寸法
２      キャップ
２２    頂面
２３    円筒状空間部
２ａ    外壁
２ｂ    内壁
２Ｌ    頂面の外径寸法
【図１】
0003138962.tif 000003
【図２】
0003138962.tif 000004
【図３】
0003138962.tif 000005
【図４】
0003138962.tif 000006
【図５】
0003138962.tif 000007